【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
ユーザが着用した第１の装置によって担持されるユーザインターフェースを介してサーフィン情報を前記ユーザに対して表示する方法であって、
前記第１の装置とは物理的に別体かつ非接続であり、前記ユーザと関連付けられた第２の装置を用いて、ユーザの好みの物理的、地理的サーフィンロケーションに関する情報を取得する工程と、
前記第２の装置を用いて前記ユーザの好みのサーフィンロケーションについてのサーフィン情報を取得する工程であって、前記好みのサーフィンロケーションについての前記サーフィン情報は、無線通信ネットワークを介してアクセスされる一又は複数の外部情報ソースから定期的に取得され、これにより取得された前記サーフィン情報は前記ユーザの前記好みのサーフィンロケーションについての実質的に現在のサーフィン情報を反映し、前記サーフィン情報は、現在の物理的に観測可能なサーフィン条件に関するサーファーグループをソースとする情報と、海洋センサの出力信号によって伝達される現在の海の条件と、を含む、工程と、
前記第１の装置が前記第２の装置に接近して前記第１の装置と前記第２の装置の間の通信を促進するときに、前記取得したサーフィン情報を前記第１の装置に無線送信する工程と、
前記送信されたサーフィン情報を、前記第１の装置によって担持される前記ユーザインターフェースを介して、前記ユーザに対して表示することによって、現在の物理的に観測可能なサーフィン条件に関するサーファーグループをソースとする情報と、海洋センサの出力信号によって伝達される現在の海の条件とが、前記第１の装置によって担持されるユーザインターフェースの単一の表示画面の別個のフィールドにおいてユーザに対して表示される、工程と、
を備える方法。
【請求項２】
前記現在のサーフィン情報は、サーファーグループをソースとするリアルタイムの、及び／又はリアルタイムに近いサーフィン条件の評価と、前記海洋センサの出力信号によって伝達されるリアルタイムの、及び／又はリアルタイムに近い潮汐の示度とを含む、請求項１に記載の方法。
【請求項３】
前記好みのサーフィンロケーションについてのサーフィン情報を、無線通信ネットワークを介してアクセスされる一又は複数の外部情報ソースから定期的に取得し、これにより取得されたサーフィン情報は前記ユーザの好みのサーフィンロケーションについての実質的に現在のサーフィン情報を反映する工程は、前記ユーザが単一の現在のロケーションに留まる間に２回以上前記好みのサーフィンロケーションについてのサーフィン情報を取得する工程を含む、請求項１に記載の方法。
【請求項４】
前記単一の現在のロケーションは前記好みのサーフィンロケーションと同じではない、請求項３に記載の方法。
【請求項５】
前記第１の装置が腕時計である請求項１に記載の方法。
【請求項６】
前記第２の装置が前記ユーザに関連付けられたスマートフォンである請求項１に記載の方法。
【請求項７】
前記サーフィン情報は、日付、時刻、サーフブレイク名、波の高さ、サーフィン条件の評価、現在の潮汐の示度、水温、アラート指標、潮汐グラフ、気温、及び気象情報を含み、前記波の高さ及び前記サーフィン条件の評価はサーファーグループをソースとする情報である、請求項１に記載の方法。
【請求項８】
前記第１の装置によって担持される前記ユーザインターフェースの前記単一の表示画面は、日付、時刻、サーフブレイク名、波の高さ、サーフィン条件の評価、現在の潮汐の示度、水温、アラート指標、潮汐グラフ、気温、及び気象情報のうちの一又は複数を表示するための別個のフィールドを有する、請求項１に記載の方法。
【請求項９】
前記第２の装置によって担持されるユーザインターフェースを介して前記ユーザから受信したロケーション情報に基づいて、前記ユーザの好みの物理的、地理的なサーフィンロケーションに関する前記情報を取得する工程をさらに含む、請求項１に記載の方法。
【請求項１０】
前記第２の装置を用いて前記ユーザの好みの前記物理的、地理的なサーフィンロケーションに関する前記情報を取得する工程は、前記第２の装置に含まれるロケーションセンサを用いて前記ユーザの現在の物理的、地理的ロケーションに関する情報を伝達する一又は複数の出力信号を生成する工程と、前記出力信号に基づいて前記第２の装置を用いて前記ユーザの好みの物理的、地理的なサーフィンロケーションを決定する工程とを含む、請求項１に記載の方法。
【請求項１１】
ユーザに対してサーフィン情報を表示するように構成されたシステムであって、
サーフィン情報を前記ユーザに対して表示するように構成されたユーザインターフェースを担持しかつ前記ユーザに着用される装置を備え、
前記サーフィン情報は一又は複数の物理的なコンピュータプロセッサから受信され、
前記一又は複数の物理的なコンピュータプロセッサは、
前記装置を着用している前記ユーザの好みの物理的、地理的なサーフィンロケーションに関する情報を取得する工程と、
前記ユーザの前記好みのサーフィンロケーションについてのサーフィン情報を取得する工程であって、前記好みのサーフィンロケーションについての前記サーフィン情報は、無線通信ネットワークを介してアクセスされた一又は複数の外部情報ソースから定期的に取得され、これにより取得された前記サーフィン情報は前記ユーザの前記好みのサーフィンロケーションについての実質的に現在のサーフィン情報を反映し、前記サーフィン情報は、現在の物理的に観測可能なサーフィン条件に関するサーファーグループをソースとする情報と、海洋センサの出力信号によって伝達される現在の海の条件と、を含む、工程と、
前記取得されたサーフィン情報を前記ユーザが着用する前記装置に送信する工程と、
前記ユーザが着用する前記装置に、前記送信されたサーフィン情報を前記ユーザインターフェースを介して前記ユーザに対して表示させることによって、現在の物理的に観測可能なサーフィン条件に関するサーファーグループをソースとする情報と、海洋センサの出力信号によって伝達される現在の海の条件とが、前記ユーザが着用する前記装置によって担持されるユーザインターフェースの単一の表示画面の別個のフィールドにおいてユーザに対して表示される、工程と、
を実行するようにコンピュータ読み取り可能な命令によって構成された、システム。
【請求項１２】
前記一又は複数の物理的なコンピュータプロセッサは、前記現在のサーフィン情報が、サーファーグループをソースとするリアルタイムの、及び／又はリアルタイムに近いサーフィン条件の評価と、前記海洋センサの出力信号によって伝達されるリアルタイムの、及び／又はリアルタイムに近い潮汐の示度とを含むように構成された、請求項１１に記載のシステム。
【請求項１３】
前記一又は複数の物理的なコンピュータプロセッサは、前記好みのサーフィンロケーションについてのサーフィン情報を、無線通信ネットワークを介してアクセスされる一又は複数の外部情報ソースから定期的に取得し、これにより取得されたサーフィン情報は前記ユーザの好みのサーフィンロケーションについての実質的に現在のサーフィン情報を反映する工程が、前記ユーザが単一の現在のロケーションに留まる間に２回以上前記好みのサーフィンロケーションについてのサーフィン情報を取得する工程を含むように構成された、請求項１１に記載のシステム。
【請求項１４】
前記一又は複数の物理的なコンピュータプロセッサは、前記単一の現在のロケーションが前記好みのサーフィンロケーションと同じではないように構成された、請求項１３に記載のシステム。
【請求項１５】
前記装置が腕時計である請求項１１に記載のシステム。
【請求項１６】
前記一又は複数の物理的なコンピュータプロセッサは、前記一又は複数の物理的なコンピュータプロセッサのうちの少なくとも１つが前記ユーザから離れて配置されたサーバに含まれるように構成された、請求項１１に記載のシステム。
【請求項１７】
前記ユーザが着用する前記装置によって担持される前記ユーザインターフェースの前記単一の表示画面は、日付、時刻、サーフブレイク名、波の高さ、サーフィン条件の評価、現在の潮汐の示度、水温、アラート指標、潮汐チャート、気温、及び気象情報を表示するための別個のフィールドを有する、請求項１１に記載のシステム。
【請求項１８】
一又は複数の遠隔サーバコンピュータからサーフィン情報を受信し、当該サーフィン情報をユーザが着用する装置に送信して前記ユーザに対して表示させるように構成された電子アプリケーションを介してサーフィン情報を前記ユーザに提供するように構成されたシステムであって、
一又は複数の物理的なコンピュータを備え、
前記一又は複数の物理的なコンピュータは、
前記ユーザの好みの物理的、地理的なサーフィンロケーションに関する情報を取得する工程と、
前記ユーザの前記好みのサーフィンロケーションについてのサーフィン情報を、無線通信ネットワークを介してアクセスされた一又は複数の遠隔サーバコンピュータから定期的に取得し、これにより取得されたサーフィン情報は前記ユーザの前記好みのサーフィンロケーションについての実質的に現在のサーフィン情報を反映し、前記サーフィン情報は、現在の物理的に観測可能なサーフィン条件に関するサーファーグループをソースとする情報と、海洋センサの出力信号によって伝達される現在の海の条件と、を含む、工程と、
前記取得されたサーフィン情報を前記ユーザが着用する前記装置に送信する工程と、
前記ユーザが着用する前記装置によって担持されるユーザインターフェースに、前記送信されたサーフィン情報を前記ユーザに対して表示させることによって、現在の物理的に観測可能なサーフィン条件に関するサーファーグループをソースとする情報と、海洋センサの出力信号によって伝達される現在の海の条件とが、前記ユーザが着用する前記装置によって担持されるユーザインターフェースの単一の表示画面の別個のフィールドにおいてユーザに対して表示される、工程と、
を実行するようにコンピュータ読み取り可能な命令によって構成された、システム。
【請求項１９】
前記一又は複数の物理的なコンピュータプロセッサは、前記現在のサーフィン情報が、リアルタイムの、及び／又はリアルタイムに近いサーフィン条件の評価と、前記海洋センサの出力信号によって伝達されるリアルタイムの、及び／又はリアルタイムに近い潮汐の示度とを含むように構成された、請求項１８に記載のシステム。
【請求項２０】
前記一又は複数の物理的なコンピュータプロセッサは、前記好みのサーフィンロケーションについてのサーフィン情報を、無線通信ネットワークを介してアクセスされる一又は複数の外部情報ソースから定期的に取得し、これにより取得されたサーフィン情報は前記ユーザの好みのサーフィンロケーションについての実質的に現在のサーフィン情報を反映する工程が、前記ユーザが単一の現在のロケーションに留まる間に２回以上前記好みのサーフィンロケーションについてのサーフィン情報を取得する工程を含むように構成された、請求項１８に記載のシステム。
【請求項２１】
前記一又は複数の物理的なコンピュータプロセッサは、前記単一の現在のロケーションが前記好みのサーフィンロケーションと同じではないように構成された、請求項２０に記載のシステム。
【請求項２２】
前記ユーザが着用する前記装置が腕時計である請求項１８に記載のシステム。
【請求項２３】
前記一又は複数の物理的なコンピュータプロセッサは、前記一又は複数の物理的なコンピュータプロセッサのうちの少なくとも１つが前記ユーザに関連付けられたスマートフォンに含まれるように構成された、請求項１８に記載のシステム。
【請求項２４】
前記一又は複数の物理的なコンピュータプロセッサは、前記サーフィン情報が、日付、時刻、サーフブレイク名、波の高さ、サーフィン条件の評価、現在の潮汐の示度、水温、アラート指標、潮汐グラフ、気温、波予測、及び気象情報を含むように構成され、前記波の高さ及び前記サーフィン条件の評価はサーファーグループをソースとする情報である、請求項１８に記載のシステム。